(57)【要約】【課題】ユーザによる入力が容易であり、ユーザによる誤操作が低減されるタッチパネルの駆動方法及び入力方法を提供する。【解決手段】タッチパネルに表示された画面１の任意の位置４がタッチ（Ｔ）されると、その位置４を含みタッチパネル画面１を横断する線Ｌ１，Ｌ２により分割された複数の画面領域Ａ，Ｂ，Ｃ，Ｄを設定し、次に、そのうちの一つの画面領域Ｃに属する任意の位置５がタッチ（Ｔ）されると、その画面領域Ｃに割り当てられた処理動作（Ｃ画面表示）を実行する。さらに、その位置５でリリース（Ｒ）されると、その画面領域Ｃに割り当てられた処理動作（Ｃ画面表示）が確定する。【選択図】図２
2008009668.tif 000002
【特許請求の範囲】
【請求項１】
タッチパネルに表示した画面の任意の位置がタッチされると、その位置を含みタッチパネル画面を横断する線により分割された複数の画面領域を設定し、次に、そのうちの一つの画面領域に属する任意の位置がタッチされると、その画面領域に割り当てられた処理動作を実行することを特徴とするタッチパネルの駆動方法。
【請求項２】
請求項１に記載のタッチパネルの駆動方法において、タッチパネルの画面は、起動されたタッチパネルの画面枠内の任意の位置がタッチされることで表示されることを特徴とするタッチパネルの駆動方法。
【請求項３】
請求項１又は２に記載のタッチパネルの駆動方法において、タッチパネル画面を横断する線は、タッチパネル画面を交差する斜線であることを特徴とするタッチパネルの駆動方法。
【請求項４】
請求項１乃至３のいずれか１に記載のタッチパネルの駆動方法において、タッチパネル画面を横断する線は、タッチパネル画面を縦方向に縦断する線と、横方向に横断する線と、であることを特徴とするタッチパネルの駆動方法。
【請求項５】
請求項１乃至４のいずれか１に記載のタッチパネルの駆動方法において、分割された複数の画面領域に割り当てられた処理動作は、そのタッチしている位置でリリースされることにより確定することを特徴とするタッチパネルの駆動方法。
【請求項６】
請求項１乃至５のいずれか１に記載のタッチパネルの駆動方法において、分割された複数の画面領域に割り当てられた処理動作は、そのタッチしている状態でスライドされると、異なる位置が連続してタッチされているものとして実行することを特徴とするタッチパネルの駆動方法。
【請求項７】
請求項１乃至６のいずれか１に記載のタッチパネルの駆動方法において、分割された複数の画面領域に割り当てられた処理動作は、そのタッチしている位置でホールドされると、その位置が連続してタッチされているものとして実行することを特徴とするタッチパネルの駆動方法。
【請求項８】
請求項１乃至７のいずれか１に記載のタッチパネルの駆動方法において、確定された画面の表示は、表示された画面の任意の位置に最初のタッチが行われ、一定時間内に、戻す画面までの階層の数だけタッチが行われることで、その画面の表示に切り替わることを特徴とするタッチパネルの駆動方法。
【請求項９】
請求項１乃至８のいずれか１に記載のタッチパネルの駆動方法において、分割された複数の画面領域に割り当てられた処理動作は、メニュー選択画面の表示であることを特徴とするタッチパネルの駆動方法。
【請求項１０】
タッチパネルに表示された画面の任意の位置をタッチした後に、その位置を含みタッチパネル画面を横断する線により分割された複数の画面領域のうちのいずれかに属する任意の位置をタッチすることで、その画面領域に割り当てられた新たな画面を表示させることを特徴とするタッチパネルの入力方法。
【請求項１１】
請求項１０に記載のタッチパネルの入力方法において、タッチパネルの画面は、起動したタッチパネルの画面枠内の任意の位置をタッチすることで表示させることを特徴とするタッチパネルの入力方法。
【請求項１２】
請求項１０又は１１に記載のタッチパネルの入力方法において、新たな画面の表示は、そのタッチしている位置でリリースすることにより確定させることを特徴とするタッチパネルの入力方法。
【請求項１３】
請求項１０乃至１２のいずれか１に記載のタッチパネルの入力方法において、確定された画面の表示は、タッチパネルに表示された画面の任意の位置に最初のタッチを行い、一定時間内に、戻す画面までの階層の数だけタッチを行うことで、その画面の表示に切り替えさせることを特徴とするタッチパネルの入力方法。
【発明の詳細な説明】
【技術分野】
【０００１】
本発明は、タッチパネルの駆動方法及び入力方法に係り、特に、タッチパネルに表示された画面にタッチして入力操作するタッチパネルの駆動方法及び入力方法に関する。
【背景技術】
【０００２】
タッチパネルは、ＬＣＤ等のディスプレイと組み合わされ、機器の入力操作を行う入力装置である。つまり、その機器のユーザが、画面上のある領域に表示されたボタンを選択する場合、その領域内にタッチパネルの上から触ることにより、あたかもボタンを押したかのような入力操作が可能となる入力装置である。このようなタッチパネルを用いた入力装置は、銀行のＡＴＭ、ＯＡ機器、ＰＤＡ（携帯情報端末）、携帯電話、ゲーム機等、幅広く利用されている。
【０００３】
タッチパネルには、一般的に、上下２枚の抵抗膜がスペーサを介して重ね合わされている。これらの抵抗膜は、それぞれ電極と一体となっているため、上部の抵抗膜は上部電極となり、下部の抵抗膜は下部電極となる。この構成により、タッチパネルは、２つの機能を有する。第１に、機器のユーザが、指などによりタッチパネルに接触すると、上部電極と下部電極とが接触し、それにより入力操作がＯＮ状態であると判断する機能を有する。第２に、上部電極は入力点のＸ軸の位置を検出し、下部電極は入力点のＹ座標を検出し、この２つのデータから入力点の座標を認識する機能を有する。すなわち、上部電極及び下部電極は、それぞれ入力点の電圧（アナログ）を検出し、この電圧をＡＤ変換してデジタル値とし、それぞれ入力点のＸ軸座標値及びＹ軸座標値を認識する。そして、この入力点の座標値から、その座標位置に対応したボタンに割り当てられた入力操作を認識する。
【０００４】
タッチパネルのボタンの領域は、入力された座標を正確に検出するために、指の大きさから決まる一定の限度がある。従って、その機器に設けられた機能や操作を一定の画面内に同時に表示するために、各種の工夫がなされている。例えば、ＰＤＡでは、指に代えてペン（スタイラス等）による入力方法を採用している。
【０００５】
また、タッチパネルには、その機器に設けられた多様な機能や操作を効率的に選択させるために、画面を階層構造（ツリー）とする場合がある。例えば、ゲーム機では、ユーザに、まずゲームの選択画面から所望のゲームを選択させ、次に、そのゲームでの設定条件を選択画面を表示して順次選択させる。さらには、画面上にフォルダを設定し、それぞれのフォルダのタイトルを触ることで画面を選択させる入力方法をとる場合もある。
【０００６】
一方、特許文献１には、アナログタッチパネルを使用し、マウスを使用して行える総てのデータ入力動作（特に、右クリックによるデータ入力動作）を可能とするデータ入力方法が開示されている。また、特許文献２には、タッチ操作の軌跡を検出するタッチパネル入力装置、及び入力方法が開示されている。
【０００７】
特許文献１のデータ入力方法は、基準位置（第１の座標）を押圧指示したまま、参照位置（第２の座標）を指示した後、短時間の内に参照位置（第２の座標）の指示を解除する操作を行うものである。この操作により、第１の押圧座標に対する右クリックに対応したデータ処理動作が実行される。また、第１の座標をグラフの原点とし、Ｘ，Ｙ軸に１６分割された象限により異なるデータ処理を行う。
【０００８】
特許文献２のタッチパネル入力装置、及び入力方法は、タイマに送信される計時開始信号、タイマから出力される計時終了信号、及び状態信号によりタッチ入力データのコマンドを判断する。すなわち、タッチパネルを目視せずに、短押、長押、リリース等の操作の組合せにより、再生、停止、曲送り、曲戻し、早送り、早戻し等の操作の入力を行う。
【０００９】
【特許文献１】特開２０００−４７８０７号公報
【特許文献２】特開２００３−１４０８２０号公報
【発明の開示】
【発明が解決しようとする課題】
【００１０】
その機器の機能や操作をタッチパネルの画面内にボタンとして表示すると、上述のようにそのボタンの領域には限度があるため、ユーザにとって操作性が悪く、押し方如何で誤操作が発生するという問題がある。特に、表示画面が小さな機器の場合にはボタンも小さくなり、ユーザに対して、操作にストレスを感じさせ、誤操作を誘引する。
【００１１】
また、その機器に設けられた機能や操作を階層構造（ツリー）とすると、ある階層の選択表示から他の階層の選択表示へ変更する場合には、その都度ボタンを押して上位の階層まで戻らなければならず手間がかかる。また、複雑な階層構造の場合、階層全体のなかで、どの位置にいるのかが分からなくなるという問題がある。
【００１２】
本願の目的は、かかる課題を解決し、ユーザによる入力操作が容易であり、ユーザによる誤操作が低減されるタッチパネルの駆動方法及び入力方法を提供することである。
【課題を解決するための手段】
【００１３】
上記目的を達成するため、本発明に係るタッチパネルの駆動方法は、タッチパネルに表示した画面の任意の位置がタッチされると、その位置を含みタッチパネル画面を横断する線により分割された複数の画面領域を設定し、次に、そのうちの一つの画面領域に属する任意の位置がタッチされると、その画面領域に割り当てられた処理動作を実行することを特徴とする。
【００１４】
また、タッチパネルの駆動方法は、タッチパネルの画面が、起動されたタッチパネルの画面枠内の任意の位置がタッチされることで表示されることが好ましい。
【００１５】
また、タッチパネルの駆動方法は、タッチパネル画面を横断する線が、タッチパネル画面を交差する斜線であることが好ましい。
【００１６】
また、タッチパネルの駆動方法は、タッチパネル画面を横断する線が、タッチパネル画面を縦方向に縦断する線と、横方向に横断する線と、であることが好ましい。
【００１７】
また、タッチパネルの駆動方法は、分割された複数の画面領域に割り当てられた処理動作が、そのタッチしている位置でリリースされることにより確定することが好ましい。
【００１８】
また、タッチパネルの駆動方法は、分割された複数の画面領域に割り当てられた処理動作が、そのタッチしている状態でスライドされると、異なる位置が連続してタッチされているものとして実行することが好ましい。
【００１９】
また、タッチパネルの駆動方法は、分割された複数の画面領域に割り当てられた処理動作が、そのタッチしている位置でホールドされると、その位置が連続してタッチされているものとして実行することが好ましい。
【００２０】
さらに、タッチパネルの駆動方法は、分割された複数の画面領域に割り当てられた処理動作が、メニュー選択画面の表示であることが好ましい。
【００２１】
本発明に係るタッチパネルの入力方法は、タッチパネルに表示された画面の任意の位置をタッチした後に、その位置を含みタッチパネル画面を横断する線により分割された複数の画面領域のうちのいずれかに属する任意の位置をタッチすることで、その画面領域に割り当てられた新たな画面を表示させることを特徴とする。
【００２２】
また、タッチパネルの入力方法は、タッチパネルの画面を、起動したタッチパネルの画面枠内の任意の位置をタッチすることで表示させることが好ましい。
【００２３】
また、タッチパネルの入力方法は、新たな画面の表示を、そのタッチしている位置でリリースすることにより確定させることが好ましい。
【００２４】
また、タッチパネルの入力方法は、確定された画面の表示を、タッチパネルに表示された画面の任意の位置に最初のタッチを行い、一定時間内に、戻す画面までの階層の数だけタッチを行うことで、その画面の表示に切り替えることが好ましい。
【００２５】
また、タッチパネルの入力方法は、確定された画面の表示を、タッチパネルに表示された画面の任意の位置に最初のタッチを行い、一定時間内に、戻す画面までの階層の数だけタッチを行うことで、その画面の表示に切り替えさせることが好ましい。
【発明の効果】
【００２６】
上記構成により、タッチパネルの駆動方法は、ユーザにより、タッチパネルに表示された画面の任意の位置に最初にタッチされる。また、ユーザにより、分割された画面領域が選択され、次にタッチされることで所望の機能や操作を選択することができる。すなわち、ユーザは、最初のタッチにおいて、タッチパネルの画面全体のいずれの位置にタッチしても良い。また、ユーザは、次のタッチにおいても、分割された画面領域のいずれの位置にタッチしても良い。つまり、ユーザに対して、画面内のボタンを探索させる必要がない。また、選択するボタンの領域内に確実にタッチさせる必要もない。すなわち、ユーザに、分割された画面領域のそれぞれに割り当てられた処理機能さえ認識させれば、簡易な入力操作が可能となる。
【００２７】
また、タッチパネルの駆動方法は、ユーザにより最初にタッチされた位置を含み、タッチパネル画面を横断する線により分割された複数の画面領域を設定する。すなわち、ユーザは、最初にタッチした位置から、例えば、上、下、右、左といった平易な方向さえ認識していれば簡易な入力操作が可能となる。
【００２８】
上記構成により、タッチパネルの入力方法は、ユーザは、タッチパネルに表示された画面の任意の位置に最初にタッチする。また、ユーザは、分割された画面領域を選択して次にタッチすることで所望の機能や操作を選択することができる。すなわち、ユーザは、最初のタッチにおいて、タッチパネルの画面全体のいずれの位置にタッチしても良い。また、ユーザは、次のタッチにおいても、分割された画面領域のいずれの位置にタッチしても良い。つまり、ユーザは、画面内のボタンを探索する必要がなく、また、選択するボタンの領域内に確実にタッチする必要もない。すなわち、ユーザは、分割された画面領域のそれぞれに割り当てられた処理機能さえ認識していれば、簡易な入力操作が可能となる。
【００２９】
また、タッチパネルの入力方法は、ユーザが最初にタッチされた位置を含み、タッチパネル画面を横断する線により分割された複数の画面領域が設定される。すなわち、ユーザは、最初にタッチした位置から、例えば、上、下、右、左といった平易な方向さえ認識していれば簡易な入力操作が可能となる。
【００３０】
以上のように、本発明に係るタッチパネルの駆動方法によれば、ユーザによる簡易な入力操作が可能となり、ユーザによる誤操作が低減される。
【発明を実施するための最良の形態】
【００３１】
以下に、図面を用いて本発明に係る実施の形態につき、詳細に説明する。
【００３２】
（基本構成）
図１に、本発明に係る駆動方法及び入力方法の１つの実施形態の基本構成を示す。本実施形態では、図１（ａ）に示すように、タッチパネル画面１は、基本的に、タッチパネル画面１の斜線Ｌ０１及びＬ０２と、斜線Ｌ０１とＬ０２との交点３と、２本の斜線Ｌ０１及びＬ０２により分割された４つの領域Ａ０，Ｂ０，Ｃ０，Ｄ０と、から構成される。本実施形態では、この斜線Ｌ０１及びＬ０２は、タッチパネル画面１の角部２をそれぞれ結ぶ２つの対角線である。これは、ユーザが、タッチパネル画面１の輪郭から斜線の角度や斜線により分割された領域を認識し易いからである。但し、この斜線Ｌ０１，Ｌ０２は、この対角線に限らず、例えば、図１（ｂ）に示すように、タッチパネル画面１の上下の辺に対して略４５度の角度で交差する斜線Ｌ０１，Ｌ０２であっても良いし、他の角度を有する斜線Ｌ０１、Ｌ０２であっても良い。
【００３３】
図１（ｃ）に、タッチパネル画面１を横断する線の他の実施例として、タッチパネル画面１を横断する線が、タッチパネル画面１を縦方向に縦断する線と、横方向に横断する線である場合を示す。この場合は、４つの領域Ａ０，Ｂ０，Ｃ０、Ｄ０は、交点３を中心として、右上方向、右下方向、左上方向及び左下方向の領域となる。さらに、タッチパネル画面１を横断する線は、上述した斜線と、縦方向に縦断する線と、横方向に横断する線と、から選択され組み合わされた複数の線であっても良い。また、これらのタッチパネル画面１を横断する線は、本実施の形態では画面上に表示されるが、この線は、画面上に表示されていなくても良い。
【００３４】
（基本動作）
図２に、本発明に係る駆動方法及び入力方法の１つの実施形態の基本動作を示す。図２（ａ）に示すように、ユーザにより、タッチパネルに表示された「基本メニュー選択画面」の任意の第１ポイント４がタッチされると、図２（ａ）に矢印Ｐで示すように、交点３は、その第１ポイント４に移動する。そして、その第１ポイント４を含み、２本の斜線Ｌ０１，Ｌ０２に略平行な新たな斜線Ｌ１，Ｌ２が設定され、２本の斜線Ｌ１，Ｌ２により分割された４つ領域Ａ，Ｂ，Ｃ，Ｄが新たに設定される。
【００３５】
図２（ｂ）に示すように、ユーザは、次に、第１ポイント４から、ユーザの指等を画面に接触させたまま、図中の下方にスライドさせ、選択したＣ領域の第２ポイント５をタッチする。ユーザの指等によるＣ領域でのタッチで、画面はＣ領域に割り当てられた「Ｃメニュー選択画面」に切り替わる。次に、ユーザは、第２ポイント５においてリリースする。このリリースにより画面は確定される。
【００３６】
（操作パターン）
図３に、本発明の実施形態における、ユーザによるタッチパネルの操作パターン、各操作パターンの記号、及びその処理動作を示す。この操作パターンのうち基本操作パターンは、タッチ（Ｔ）、ホールド（Ｈ）、スライド（Ｓ）、及びリリース（Ｒ）の４種類である。ここで、タッチ（Ｔ）とは、タッチパネルの画面にユーザの指等により触れることをいう。また、ホールド（Ｈ）とは、指等により画面にタッチした状態で、その指等をタッチされた位置に留めることをいう。このホールド（Ｈ）は、連続して同じ位置をタッチ（Ｔ）しているものと判断され、タッチ（Ｔ）と同様に処理される。また、スライド（Ｓ）とは、指等により画面にタッチした状態で、画面上を移動させることをいう。このスライド（Ｓ）は、連続して異なる位置をタッチ（Ｔ）しているものと判断され、タッチ（Ｔ）と同様に処理される。さらに、リリース（Ｒ）とは、タッチ、ホールド（同じ位置の連続したタッチ）、及びスライド（異なる位置の連続したタッチ）の状態から、指等を画面から離すことをいう。これらの基本操作は、ユーザの指だけではなく、ペン（スタイラス等）や他の器具により行われても良い。なお、本明細書の関連する図において、上記した基本操作パターンには、それぞれの記号を付す。なお、画面を短くつつくタップという基本操作パターンを設け、タッチ（Ｔ）と区別された操作パターンを定義しても良い。
【００３７】
これらの基本操作パターンに対して、タッチパネルは、その２つの機能により認識する。すなわち、（１）入力操作がＯＮ状態又はＯＦＦ状態であると判断する機能、及び（２）入力点の座標値を認識する機能である。タッチ（Ｔ）に対しては、タッチパネルを構成する上部電極と下部電極とが接触することで、入力操作がＯＮ状態であると判断し、その画面領域に割り当てられた処理動作を行う。また、ホールド（Ｈ）に対しては、上部電極と下部電極との接触が維持され、その座標値のまま入力操作が連続してＯＮ状態であると判断し、タッチ（Ｔ）と同様の処理を行う。また、スライド（Ｓ）に対しては、上部電極と下部電極との接触が維持され、その接触した点の座標移動が認識され、その移動する座標値で入力操作が連続してＯＮ状態であると判断し、タッチ（Ｔ）と同様の処理を行う。さらに、リリース（Ｒ）に対しては、上部電極と下部電極との接触が切断されることで、入力操作がＯＦＦ状態であると判断し、その選択された画面を確定する。
【００３８】
基本操作パターンの処理動作の設定は、上述したものに限らず、他の実施例としても良い。例えば、スライド（Ｓ）について、指等により画面にタッチした状態で、画面上を移動させている状態では、連続して異なる位置をタッチ（Ｔ）しているものと判断せずに、移動後にある位置で、一定の時間を越えてホールド（Ｈ）された場合に、タッチ（Ｔ）したものと判断しても良い。この場合には、タッチパネルは、その内部機能にタイマを有し時間の計測により判断し処理する。
【００３９】
本発明は、これらの基本操作パターン及びそれらを組合せた応用操作パターンにより総ての入力操作が行われ、タッチパネルに入力された指示が駆動処理される。図３に、タッチ（Ｔ）、ホールド（Ｈ）、スライド（Ｓ）、及びリリース（Ｒ）という４つの基本操作パターンが組み合わされた、応用操作パターンを示す。基本的に、２度連続してタッチ（Ｔ）するダブルタッチという応用操作パターンは、確定された画面を取り消す操作パターンである。本実施形態では、ダブルタッチ＋リリース（ＤＴ・Ｒ）により、その画面の１つ前の画面に戻す指令がなされたと判断して処理する。この操作パターンは、２回の「タッチ（Ｔ）＋リリース（Ｒ）」が、それぞれ、タッチパネルに表示された画面上の任意の位置で、一定の時間（例えば、０．５秒又は１．０秒）以内に行われた場合に検出される。１回の「タッチ（Ｔ）＋リリース（Ｒ）」が行われた場合、基本操作パターンの設定により、そのタッチされた画面を確定する。従って、画面は変化しない。その後、一定時間内に第２のタッチ（Ｔ）＋リリース（Ｒ）が繰り返されると、その画面は取り消され、１つ前の階層の画面が表示される。
【００４０】
また、本実施形態では、ダブルタッチ＋ホールド（ＤＴ・Ｈ）により、その画面の１つ前の別の選択メニューに画面を変更させる指令と判断する。この操作パターンは、１回目のタッチ（Ｔ）＋リリース（Ｒ）及び２回目のタッチ（Ｔ）＋ホールド（Ｈ）が、それぞれ、タッチパネルに表示された画面の任意の位置で、一定の時間（例えば、０．５秒又は１．０秒）以内に行われた場合に判断される。１回のタッチ（Ｔ）＋リリース（Ｒ）が行われた場合、そのタッチされた画面が確定するため画面は変化しない。その後、一定時間内に第２のタッチ（Ｔ）＋ホールド（Ｒ）が繰り返されると、その画面は取り消され、１つ前の画面の階層の他の選択メニューを閲覧できる。なお、ダブルタッチ（ＤＴ）は、ダブルタップとし、画面を短くつつく応用操作パターンとしても良い。
【００４１】
従来、これらの指等によるダブルタッチ（ＤＴ）は、厳密に同一のポイントをタッチすることが難しいため、特許文献１に開示されている方法などが考案されている。しかし、本発明では、総ての入力操作において、タッチパネル画面１上にはボタンはなく、ある特定のポイントを正確に２度繰り返して押さえる必要がない。従って、ダブルタッチ（ＤＴ）に関しても、簡易な操作となり、ユーザによる誤作動はほとんど生じない。
【００４２】
（駆動方法及び入力方法）
図４に、本発明に係る駆動方法の基本的なフローを示し、また、図５に本発明に係る入力方法の基本的なフローを示す。図４のフローは、タッチパネル側から見た、入力に対する駆動処理フローである。図５のフローは、ユーザ側から見た、入力についての操作フローであり、図４のフローと実質的に同様な内容となる。従って、以下においては、図４の駆動方法のフロー図を用いて説明する。記号Ｓ１〜Ｓ１１は、フロー図における各ステップを示す。
【００４３】
図４に示すように、タッチパネルは、タッチパネルに電源が入った状態で、ユーザによりタッチパネル画面１内の任意の位置がタッチされると（Ｓ１）、選択画面を表示する（Ｓ２）。つまり。タッチパネルは、タッチパネル画面１内の任意の位置がタッチされることで、入力操作がＯＦＦからＯＮとなったことを認識し、選択画面を表示する。従って、本発明によると、従来のタッチパネルに用いられているスイッチ類は不要となり、画面へのタッチにより初期操作を行うことが可能となる。
【００４４】
図２（ａ）に示すように、タッチパネルに表示された画面の任意の位置である第１ポイント４がタッチされると（Ｓ３）、交点３を、その第１ポイント４に移動する。そして、その第１ポイント４を通り、２本の斜線Ｌ０１，Ｌ０２に略平行な新たな斜線Ｌ１，Ｌ２を設定し、２本の斜線Ｌ１，Ｌ２により分割された４つ領域Ａ，Ｂ，Ｃ，Ｄを新たに設定する（Ｓ４）。図２（ａ）に示すように、本実施形態では、タッチパネル画面１には、メニュー表示１１を表示し、ユーザに対し各領域Ａ，Ｂ，Ｃ，Ｄに割り当てられた処理動作が、その方向と共に表示する。このメニュー表示１１の形態は、この表示方法に限らず、例えば、タッチパネル画面１の操作画面外にレイアウトされたメニュー表示１１であっても良い。
【００４５】
この４つの領域Ａ，Ｂ，Ｃ，Ｄは、ユーザがタッチした第１ポイント４を中心として、上方向、下方向、右方向及び左方向の領域である。このことは、ユーザは、最初にタッチした指等を上下左右という、感覚的にも分かり易い方向に移動させれば良いことを意味する。従って、入力方法として極めて簡易であり、誤操作の生じる可能性は極めて低い。図１（ｃ）に示すように、タッチパネル画面１を横断する線が、タッチパネル画面１を縦方向に縦断する線と、横方向に横断する線である場合は、ユーザは、タッチした第１ポイント４を中心として、斜めに右上、右下、左上及び左下の方向を認識すればよい。
【００４６】
図６に、本発明に係る駆動方法及び入力方法の１つの実施形態におけるメニュー画面の選択方法を示す。まず、ユーザにより、第１ポイント４をタッチされた後、図６にて斜線で示すＣ領域のメニューが選択される場合について説明する。ユーザにより、最初に画面にタッチ（Ｔ）した第１ポイント４から、指等を画面に接触させたまま、図中の下方にスライド（Ｓ）される（Ｓ５）。指等がＣ領域に入ると、画面をＣ領域に割り当てられたＣメニュー選択画面に切り替える。すなわち、その領域内でその領域に割り当てられた新たな画面を表示する（Ｓ６）。次に、ユーザは、第２ポイント５においてリリース（Ｒ）する（Ｓ７）。このリリース（Ｒ）により、表示された画面に確定する（Ｓ８）。従って、ユーザが、リリース（Ｒ）をせずにホールド（Ｈ）又はスライド（Ｓ）を継続すると、画面は確定しない。例えば、図６中のＢ領域に属する第２ポイント６でホールド（Ｈ）し、その表示された画面を確認した後、Ａ領域に属する第３のポイント７へスライド（Ｓ）し、そのスライド（Ｓ）の間に表示された画面（Ａ）を確認し、Ｄ領域に属する第４のポイント８へスライド（Ｓ）し、そのスライド（Ｓ）の間に表示された画面（Ｄ）を確認し、さらに、Ｃ領域に属する第５のポイント９へスライド（Ｓ）し、そのスライド（Ｓ）の間に表示された画面（Ｃ）を確認し、そこでリリース（Ｒ）した場合には、画面（Ｃ）が確定する。このように、リリース（Ｒ）されずに、さらに画面領域にタッチ（Ｔ）されたままスライド（Ｓ）される（Ｓ１０）と、そのスライド（Ｓ）によりタッチ（Ｔ）された画面領域が、前回の画面領域と同じか否かが判断される（Ｓ１１）。同じ場合には、次のタッチ（Ｔ）まで待ち、異なる場合には、Ｓ６に戻り、新たな画面を表示する。これらの操作は、選択画面が最終となるまで繰り返される（Ｓ９）。
【００４７】
すなわち、ユーザは、リリース（Ｒ）するまでは、各領域に属するポイント６，７，８を経由して各メニュー選択画面をショッピングすることが可能である。また、単に、スライド（Ｓ）により、一巡してから所望の新たなメニュー画面を選択することができる。この手法により、メニュー表示１１を参照しなくとも、総てのメニューを簡易に閲覧することが可能となる。従来の駆動方法及び入力方法では、選択メニューをそれぞれ閲覧する場合は、その都度、元の選択画面に戻すボタンを押した上で、新たに選択ボタンを押さなければならなかったが、本発明に係る駆動方法及び入力方法では、スライド（Ｓ）という一つの動作により閲覧することが可能となる。
【００４８】
（駆動方法及び入力方法についての実施例）
本発明に係る駆動方法及び入力方法についての実施例として、ダブルタッチ＋リリース（ＤＴ・Ｒ）及びダブルタッチ＋ホールド（ＤＴ・Ｈ）ついて説明する。図７に、これらの機能の説明のための階層構造を示す。現在の画面は、階層（２）において選択した画面（Ｃ２）により、表示された一つ下位の階層（３）での選択メニューであるものとする。ここで、ユーザは、画面（Ｃ２１），画面（Ｃ２２），画面（Ｃ２３），及び画面（Ｃ２４）のうちから画面（Ｃ２３）を選択した。ここで、リリースすることにより、画面（Ｃ２３）が確定する。しかし、ユーザは、画面（Ｃ２３）の選択が誤りであることに気がつくと、その画面（Ｃ２３）上の任意の位置でダブルタッチ＋リリース（ＤＴ・Ｒ）する。この操作により、画面は、１つ前の階層（２）で選択された画面（Ｃ２）に戻り、その画面が確定される。このダブルタッチは、さらにトリプルタッチとすることで、２つ前の階層（１）で選択された画面（Ｃ）に戻りその画面が確定される。すなわち、このダブルタッチ＋リリースの回数をカウントし、その回数だけ階層を戻ると判断する。或いは、クリック＋リリース毎にその１つ前の階層の画面に戻るとしても良い。
【００４９】
次に、ダブルタッチ＋ホールド（ＤＴ・Ｈ）について説明する。２回目のタッチ（Ｔ）でリリース（Ｒ）せずにホールド（Ｈ）すると、その１つ前の階層の画面（Ｃ２）に戻り、確定されていない状態となる。従って、画面（Ｃ２）の状態で、他の選択メニューである画面（Ｃ１）、画面（Ｃ３）、及び画面（Ｃ４）を、スライド（Ｓ）することで閲覧することが可能となる。このように、画面の戻しにおいても、基本操作パターンにより、簡易に行うことが可能となる。
【００５０】
（駆動方法及び入力方法についての他の実施形態）
上述した、操作パターンは、基本的に、タッチ（Ｔ）、ホールド（Ｈ）、スライド（Ｓ）、及びリリース（Ｒ）の４つのパターンから構成される。従って、これらの指等により行われる操作パターンを音声入力により入力させることが可能である。例えば、タッチパネル画面１をタッチ（Ｔ）したまま、スライド（Ｓ）させる代わりに、「上」、「下」、「右」、「左」等の音声により画面を選択することが可能である。
【図面の簡単な説明】
【００５１】
【図１】本発明に係る駆動方法及び入力方法の一つの実施形態の基本構成を示す説明図である。
【図２】本発明に係る駆動方法及び入力方法の一つの実施形態の基本動作を示す説明図である。
【図３】本実施形態における、ユーザによるタッチパネルの操作パターンの説明図である。
【図４】駆動方法のフロー図である。
【図５】入力方法のフロー図である。
【図６】駆動方法及び入力方法の１つの実施形態におけるメニューの選択方法の基本概念を示す概念図である。
【図７】ダブルタッチ＋リリース及びダブルタッチ＋ホールドの機能の説明のための階層構造を示す説明図である。
【符号の説明】
【００５２】
１  タッチパネル画面、２  角部、３  交点、４  第１ポイント、５、６  第２ポイント、７  第３ポイント、８  第４ポイント，９  第５ポイント、１１  メニュー表示、Ａ，Ｂ，Ｃ，Ｄ  領域、Ｌ  横断線、Ｈ  ホールド、Ｒ  リリース、Ｔ  タッチ、Ｓ  スライド。
【図１】
2008009668.tif 000003
【図２】
2008009668.tif 000004
【図３】
2008009668.tif 000005
【図４】
2008009668.tif 000006
【図５】
2008009668.tif 000007
【図６】
2008009668.tif 000008
【図７】
2008009668.tif 000009
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
タッチパネル画面の内部側に設けられた抵抗膜と一体になった２つの電極により、タッチパネル画面への入力操作であるタッチ、ホールド、スライド及びリリースがされた座標、及びタッチパネル入力操作のＯＮ・ＯＦＦ状態を検出し、選択されるメニューを階層状に分類して作成した複数のメニュー選択画面を記憶し、タッチパネル画面への入力操作により所定のメニュー選択画面を表示してメニューを認識し、さらにそのメニューを確定して記憶するタッチパネルの駆動方法であって、
第１のメニュー選択画面を表示し、タッチパネル画面の任意の位置でのタッチにより入力操作がＯＮ状態であること及びタッチ位置の座標を検出し、その座標位置を含みタッチパネル画面を横断する線により分割された複数の画面領域を設定する工程と、
前記タッチ後のスライドにより入力操作が継続したＯＮ状態であること及びスライドにより移動したタッチ位置の座標を検出し、前記タッチ位置の座標が属する方向の第１の画面領域に割り当てられたメニューを認識し、表示されている第１のメニュー選択画面をその下の階層の第２のメニュー選択画面に変更して表示する工程と、
前記スライド後のリリースにより入力操作がＯＦＦ状態であることを検出し、表示されている第２のメニュー選択画面を確定して記憶する工程と、
前記リリース前に前記スライドにより移動したタッチ位置の座標を検出し、その座標位置が第１の画面領域とは異なる第２の画面領域に変化したことを検出した場合には、第２の画面領域に割り当てられたメニュー選択画面に変更して表示する工程と、
を備えることを特徴とするタッチパネルの駆動方法。
【請求項２】
請求項１に記載のタッチパネルの駆動方法において、前記リリース後に、タッチパネル画面上での第１のタッチによる入力操作によるＯＮ状態を検出した後、一定時間内にタッチパネル画面枠内の任意の位置における第２のタッチによるＯＮ状態を検出した場合には、リリースにより確定したメニュー選択画面をその上の階層のメニュー選択画面に戻すことを特徴とするタッチパネルの駆動方法。
【請求項３】
請求項２に記載のタッチパネルの駆動方法において、前記第２のタッチの後に、ホールドによりタッチパネル入力操作がＯＮ状態であり、座標が変化しないことを検出した場合には、戻されたメニュー選択画面を継続して表示することを特徴とするタッチパネルの駆動方法。
【請求項４】
請求項２又は３に記載のタッチパネルの駆動方法において、前記第２のタッチの後に、リリースによりタッチパネル入力操作がＯＦＦ状態であることを検出した場合には、戻されたメニュー選択画面を確定して表示することを特徴とするタッチパネルの駆動方法。
【請求項５】
請求項１乃至４のいずれか１に記載のタッチパネルの駆動方法において、ホールドによりタッチパネル入力操作がＯＮ状態であること、及び座標が変化しないことを検出した場合には、認識されているメニュー選択画面を継続して表示することを特徴とするタッチパネルの駆動方法。
【請求項６】
請求項１乃至５のいずれか１に記載のタッチパネルの駆動方法において、タッチパネル画面を横断する線は、タッチパネル画面を交差する斜線であることを特徴とするタッチパネルの駆動方法。
【請求項７】
請求項１乃至６のいずれか１に記載のタッチパネルの駆動方法において、タッチパネル画面を横断する線は、タッチパネル画面を縦方向に縦断する線と、横方向に横断する線と、であることを特徴とするタッチパネルの駆動方法。
【請求項８】
タッチパネル画面の内部側に設けられた抵抗膜と一体になった２つの電極により、タッチパネル画面への入力操作であるタッチ、ホールド、スライド及びリリースがされた座標、及びタッチパネル入力操作のＯＮ・ＯＦＦ状態を検出させ、選択されるメニューを階層状に分類して作成した複数のメニュー選択画面を記憶させ、タッチパネル画面への入力操作により所定のメニュー選択画面を表示してメニューを認識させ、さらにそのメニューを確定して記憶させるタッチパネルの入力方法であって、
第１のメニュー選択画面を表示させ、タッチパネル画面の任意の位置でのタッチにより入力操作がＯＮ状態であること及びタッチ位置の座標を検出させ、その座標位置を含みタッチパネル画面を横断する線により分割された複数の画面領域を設定させる工程と、
前記タッチ後のスライドにより入力操作が継続したＯＮ状態であること及びスライドにより移動したタッチ位置の座標を検出させ、前記タッチ位置の座標が属する方向の第１の画面領域に割り当てられたメニューを認識させ、表示されている第１のメニュー選択画面をその下の階層の第２のメニュー選択画面に変更して表示させる工程と、
前記スライド後のリリースにより入力操作がＯＦＦ状態であることを検出させ、表示されている第２のメニュー選択画面を確定して記憶させる工程と、
前記リリース前に前記スライドにより移動したタッチ位置の座標を検出させ、その座標位置が第１の画面領域とは異なる第２の画面領域に変化したことを検出した場合には、第２の画面領域に割り当てられたメニュー選択画面に変更して表示させる工程と、
を備えることを特徴とするタッチパネルの入力方法。
【請求項９】
請求項８に記載のタッチパネルの入力方法において、前記リリース後に、タッチパネル画面上での第１のタッチによる入力操作によるＯＮ状態を検出させた後、一定時間内にタッチパネル画面枠内の任意の位置における第２のタッチによるＯＮ状態を検出させた場合には、リリースにより確定したメニュー選択画面をその上の階層のメニュー選択画面に戻させることを特徴とするタッチパネルの入力方法。
【請求項１０】
請求項９に記載のタッチパネルの入力方法において、前記第２のタッチの後に、ホールドによりタッチパネル入力操作がＯＮ状態であり、座標が変化しないことを検出させた場合には、戻されたメニュー選択画面を継続して表示させることを特徴とするタッチパネルの入力方法。
【請求項１１】
請求項９又は１０に記載のタッチパネルの入力方法において、前記第２のタッチの後に、リリースによりタッチパネル入力操作がＯＦＦ状態であることを検出させた場合には、戻されたメニュー選択画面を確定させて表示させることを特徴とするタッチパネルの入力方法。
【請求項１２】
請求項８乃至１１のいずれか１に記載のタッチパネルの入力方法において、ホールドによりタッチパネル入力操作がＯＮ状態であること、及び座標が変化しないことを検出させた場合には、認識されているメニュー選択画面を継続して表示させることを特徴とするタッチパネルの入力方法。
【請求項１３】
請求項８乃至１２のいずれか１に記載のタッチパネルの入力方法において、タッチパネル画面を横断する線は、タッチパネル画面を交差する斜線であることを特徴とするタッチパネルの入力方法。
【手続補正２】
【補正対象書類名】明細書
【補正対象項目名】００１３
【補正方法】変更
【補正の内容】
【００１３】
上記目的を達成するため、本発明に係るタッチパネルの駆動方法は、タッチパネル画面の内部側に設けられた抵抗膜と一体になった２つの電極により、タッチパネル画面への入力操作であるタッチ、ホールド、スライド及びリリースがされた座標、及びタッチパネル入力操作のＯＮ・ＯＦＦ状態を検出し、選択されるメニューを階層状に分類して作成した複数のメニュー選択画面を記憶し、タッチパネル画面への入力操作により所定のメニュー選択画面を表示してメニューを認識し、さらにそのメニューを確定して記憶するタッチパネルの駆動方法であって、第１のメニュー選択画面を表示し、タッチパネル画面の任意の位置でのタッチにより入力操作がＯＮ状態であること及びタッチ位置の座標を検出し、その座標位置を含みタッチパネル画面を横断する線により分割された複数の画面領域を設定する工程と、前記タッチ後のスライドにより入力操作が継続したＯＮ状態であること及びスライドにより移動したタッチ位置の座標を検出し、前記タッチ位置の座標が属する方向の第１の画面領域に割り当てられたメニューを認識し、表示されている第１のメニュー選択画面をその下の階層の第２のメニュー選択画面に変更して表示する工程と、前記スライド後のリリースにより入力操作がＯＦＦ状態であることを検出し、表示されている第２のメニュー選択画面を確定して記憶する工程と、前記リリース前に前記スライドにより移動したタッチ位置の座標を検出し、その座標位置が第１の画面領域とは異なる第２の画面領域に変化したことを検出した場合には、第２の画面領域に割り当てられたメニュー選択画面に変更して表示する工程と、を備えることを特徴とする。
【手続補正３】
【補正対象書類名】明細書
【補正対象項目名】００１４
【補正方法】変更
【補正の内容】
【００１４】
また、タッチパネルの駆動方法は、前記リリース後に、タッチパネル画面上での第１のタッチによる入力操作によるＯＮ状態を検出した後、一定時間内にタッチパネル画面枠内の任意の位置における第２のタッチによるＯＮ状態を検出した場合には、リリースにより確定したメニュー選択画面をその上の階層のメニュー選択画面に戻すことが好ましい。
【手続補正４】
【補正対象書類名】明細書
【補正対象項目名】００１５
【補正方法】変更
【補正の内容】
【００１５】
また、タッチパネルの駆動方法は、前記第２のタッチの後に、ホールドによりタッチパネル入力操作がＯＮ状態であり、座標が変化しないことを検出した場合には、戻されたメニュー選択画面を継続して表示することが好ましい。
【手続補正５】
【補正対象書類名】明細書
【補正対象項目名】００１６
【補正方法】変更
【補正の内容】
【００１６】
また、タッチパネルの駆動方法は、前記第２のタッチの後に、リリースによりタッチパネル入力操作がＯＦＦ状態であることを検出した場合には、戻されたメニュー選択画面を確定して表示することが好ましい。
【手続補正６】
【補正対象書類名】明細書
【補正対象項目名】００１７
【補正方法】変更
【補正の内容】
【００１７】
また、タッチパネルの駆動方法は、ホールドによりタッチパネル入力操作がＯＮ状態であること、及び座標が変化しないことを検出した場合には、認識されているメニュー選択画面を継続して表示することが好ましい。
【手続補正７】
【補正対象書類名】明細書
【補正対象項目名】００１８
【補正方法】変更
【補正の内容】
【００１８】
また、タッチパネルの駆動方法は、タッチパネル画面を横断する線は、タッチパネル画面を交差する斜線であることが好ましい。
【手続補正８】
【補正対象書類名】明細書
【補正対象項目名】００１９
【補正方法】変更
【補正の内容】
【００１９】
また、タッチパネルの駆動方法は、タッチパネル画面を横断する線は、タッチパネル画面を縦方向に縦断する線と、横方向に横断する線と、であることが好ましい。
【手続補正９】
【補正対象書類名】明細書
【補正対象項目名】００２０
【補正方法】変更
【補正の内容】
【００２０】
また、本発明に係るタッチパネルの入力方法は、タッチパネル画面の内部側に設けられた抵抗膜と一体になった２つの電極により、タッチパネル画面への入力操作であるタッチ、ホールド、スライド及びリリースがされた座標、及びタッチパネル入力操作のＯＮ・ＯＦＦ状態を検出させ、選択されるメニューを階層状に分類して作成した複数のメニュー選択画面を記憶させ、タッチパネル画面への入力操作により所定のメニュー選択画面を表示してメニューを認識させ、さらにそのメニューを確定して記憶させるタッチパネルの入力方法であって、第１のメニュー選択画面を表示させ、タッチパネル画面の任意の位置でのタッチにより入力操作がＯＮ状態であること及びタッチ位置の座標を検出させ、その座標位置を含みタッチパネル画面を横断する線により分割された複数の画面領域を設定させる工程と、前記タッチ後のスライドにより入力操作が継続したＯＮ状態であること及びスライドにより移動したタッチ位置の座標を検出させ、前記タッチ位置の座標が属する方向の第１の画面領域に割り当てられたメニューを認識させ、表示されている第１のメニュー選択画面をその下の階層の第２のメニュー選択画面に変更して表示させる工程と、前記スライド後のリリースにより入力操作がＯＦＦ状態であることを検出させ、表示されている第２のメニュー選択画面を確定して記憶させる工程と、前記リリース前に前記スライドにより移動したタッチ位置の座標を検出させ、その座標位置が第１の画面領域とは異なる第２の画面領域に変化したことを検出した場合には、第２の画面領域に割り当てられたメニュー選択画面に変更して表示させる工程と、を備えることを特徴とする。
【手続補正１０】
【補正対象書類名】明細書
【補正対象項目名】００２１
【補正方法】変更
【補正の内容】
【００２１】
また、タッチパネルの入力方法は、前記リリース後に、タッチパネル画面上での第１のタッチによる入力操作によるＯＮ状態を検出させた後、一定時間内にタッチパネル画面枠内の任意の位置における第２のタッチによるＯＮ状態を検出させた場合には、リリースにより確定したメニュー選択画面をその上の階層のメニュー選択画面に戻させることが好ましい。
【手続補正１１】
【補正対象書類名】明細書
【補正対象項目名】００２２
【補正方法】変更
【補正の内容】
【００２２】
また、タッチパネルの入力方法は、前記第２のタッチの後に、ホールドによりタッチパネル入力操作がＯＮ状態であり、座標が変化しないことを検出させた場合には、戻されたメニュー選択画面を継続して表示させることが好ましい。
【手続補正１２】
【補正対象書類名】明細書
【補正対象項目名】００２３
【補正方法】変更
【補正の内容】
【００２３】
また、タッチパネルの入力方法は、前記第２のタッチの後に、リリースによりタッチパネル入力操作がＯＦＦ状態であることを検出させた場合には、戻されたメニュー選択画面を確定して表示させることが好ましい。
【手続補正１３】
【補正対象書類名】明細書
【補正対象項目名】００２４
【補正方法】変更
【補正の内容】
【００２４】
また、タッチパネルの入力方法は、ホールドによりタッチパネル入力操作がＯＮ状態であること、及び座標が変化しないことを検出させた場合には、認識されているメニュー選択画面を継続して表示させることが好ましい。
【手続補正１４】
【補正対象書類名】明細書
【補正対象項目名】００２５
【補正方法】変更
【補正の内容】
【００２５】
また、タッチパネルの入力方法は、タッチパネル画面を横断する線は、タッチパネル画面を交差する斜線であることが好ましい。